(57)【要約】【課題】  内視鏡装置において、電力消費が低減でき、照明光の光量が容易に可変できるようにする。【解決手段】  撮像素子４の映像信号の輝度レベルを検出する出力レベル検出回路４１を設け、バッテリ５に光源ランプ２１を異なる発光量で発光させる２つの照明電源部を選択可能に設ける。さらに、照明電源部を選択的に切替える照明電圧切替手段１０１を設け、出力レベル検出回路４１が検出する映像信号の輝度レベルに応じて、照明電圧切替手段１０１が照明電源部を選択できるようにする。【選択図】      図５
2005237430.tif 000002
【特許請求の範囲】
【請求項１】
被検体の体腔内に挿入可能な挿入部と、
該挿入部の先端側から前記体腔内の観察像を取り込む観察像取り込み部と、
前記挿入部の基端部に接続された操作部と、
該操作部に設けられ、前記観察像取り込み部により取り込まれた前記観察像を観察可能とする観察部と、
前記挿入部の先端から前記体腔内を照明するランプ、およびランプ電源を有し前記ランプおよびランプ電源のうち少なくとも一方が複数設けられた照明手段と、
前記ランプおよびランプ電源のうち複数からなるものを選択的に切替えて発光量を制御する発光量切替手段を備えることを特徴する内視鏡装置。
【請求項２】
前記発光量切替手段の切替対象が複数のランプである場合に、該ランプが異なる発光量を有することを特徴とする請求項１に記載の内視鏡装置。
【請求項３】
前記発光量切替手段の切替対象が複数のランプである場合に、前記発光量切替手段が発光させるランプの数を切替えることを特徴とする請求項１または２に記載の内視鏡装置。
【請求項４】
前記発光量切替手段の切替対象が複数のランプ電源である場合に、該ランプ電源がそれぞれ異なる電圧値を有することを特徴とする請求項１〜３のいずれかに記載の内視鏡装置。
【請求項５】
前記発光量切替手段の切替対象が複数のランプ電源である場合に、前記発光量切替手段がランプ電源の回路構成を切替えて前記ランプへの印加電圧を切替えることを特徴とする請求項１〜４のいずれかに記載の内視鏡装置。
【請求項６】
前記発光量切替手段が、術者が操作可能な切替スイッチを備えることを特徴とする請求項１〜５のいずれかに記載の内視鏡装置。
【請求項７】
前記観察部が前記観察像を撮像する撮像手段と、
該撮像手段の出力レベルを検出する出力レベル検出手段とを備え、
該出力レベル検出手段により検出された出力レベルに応じて前記発光量切替手段が動作するようにしたことを特徴とする請求項１〜６のいずれかに記載の内視鏡装置。
【発明の詳細な説明】
【技術分野】
【０００１】
本発明は、携帯に適した内視鏡装置に関する。
【背景技術】
【０００２】
医療分野や工業分野で広く用いられている内視鏡装置は、観察像を別体の表示装置に表示する据置型のものや、小型の表示装置を一体化するか、表示装置を省いて接眼部から直接観察するようにした携帯型のものが知られている。
このような内視鏡装置では、鮮明な観察像を得るために、観察対象に応じて適切な光量を有する照明光を照射する必要がある。したがって照明手段は光量調整ができるようになっている場合が多い。
このような光量調整手段としては、例えば、照明光の出射側に絞りや可変フィルタなどの光量規制手段を設けて可変するものや、定電圧電源の下でランプ駆動電流を可変できるようにしたりするものが知られている。
また、特許文献１には、一定レベルの映像信号を得るために自動調光機能を有し、高輝度のストロボランプをＰＷＭ回路により点灯時間をパルス幅変調することにより、照明光の光量を可変する内視鏡装置が記載されている。
【特許文献１】特開平５−１１５４３３号公報（第４−５頁、図６、８）
【発明の開示】
【発明が解決しようとする課題】
【０００３】
しかしながら、上記のような従来の内視鏡装置には、以下のような問題があった。
光量規制手段を用いる場合は、照明光の光量を低減しても、光源の発光量は変わらないから、低光量の照明時に光量損失が多くなり、不経済な装置となるという問題があった。
定電圧電源の下でランプ駆動電流を可変する場合は、ランプ駆動電流を絞るために可変抵抗などで電圧降下させていたが、抵抗の発熱によりエネルギー損失が発生するため不経済となり、装置の排熱や冷却が必要になるという問題があった。
また、特許文献１に記載の技術では、ＰＷＭ回路を設けなくてはならず、装置が複雑化するという問題があった。
特に、搭載できるランプ電源の大きさや容量が限られる携帯型の内視鏡装置では、省電力可能で照明光の光量を容易に可変できる装置が強く求められていた。
【０００４】
本発明は、上記のような問題に鑑みてなされたものであって、電力消費が低減でき、照明光の光量が容易に可変できる内視鏡装置を提供することを目的とする。
【課題を解決するための手段】
【０００５】
上記の課題を解決するために、請求項１に記載の発明では、内視鏡装置において、被検体の体腔内に挿入可能な挿入部と、該挿入部の先端側から前記体腔内の観察像を取り込む観察像取り込み部と、前記挿入部の基端部に接続された操作部と、該操作部に設けられ、前記観察像取り込み部により取り込まれた前記観察像を観察可能とする観察部と、前記挿入部の先端から前記体腔内を照明するランプ、およびランプ電源を有し前記ランプおよびランプ電源のうち少なくとも一方が複数設けられた照明手段と、前記ランプおよびランプ電源のうち複数からなるものを選択的に切替えて発光量を制御する発光量切替手段を備える構成とする。
この発明によれば、発光量切替手段により、ランプおよびランプ電源のうち複数からなるものを選択的に切替えて発光量を制御できるので、ランプやランプ電源の個々の発光量が一定であるような簡素なランプおよびランプ電源を用いて、照明手段の光量を切替えることができる。その際、発光量に寄与しないランプ、ランプ電源は選択されないから、その分の電力消費が発生せず、全体として、省電力、省エネルギーの装置とすることができる。
【０００６】
請求項２に記載の発明では、請求項１に記載の内視鏡装置において、前記発光量切替手段の切替対象が複数のランプである場合に、該ランプが異なる発光量を有する構成とする。
この発明によれば、異なる発光量を有する複数のランプを組み合わせることにより、光量切替を不等間隔で行うことができる。そのため、実使用に必要な光量に切替えることができ、不要光を減衰させて光量の調整を図る場合のような光量損失をなくすことができる。
【０００７】
請求項３に記載の発明では、請求項１または２に記載の内視鏡装置において、前記発光量切替手段の切替対象が複数のランプである場合に、前記発光量切替手段が発光させるランプの数を切替える構成とする。
この発明によれば、発光するランプの数を切替えるので、発光量切替手段を簡素に構成することができる。
【０００８】
請求項４に記載の発明では、請求項１〜３のいずれかに記載の内視鏡装置において、前記発光量切替手段の切替対象が複数のランプ電源である場合に、該ランプ電源がそれぞれ異なる電圧値を有する構成とする。
この発明によれば、異なる電圧値を有する複数のランプ電源を組み合わせることにより、光量切替を不等間隔で行うことができる。そのため、実使用に必要な光量に切替えることができ、不要光を減衰させて光量の調整を図る場合のような光量損失をなくすことができる。
また、ランプ電源として、例えば電池などの安価な定電圧電源を採用することができる。
【０００９】
請求項５に記載の発明では、請求項１〜４のいずれかに記載の内視鏡装置において、前記発光量切替手段の切替対象が複数のランプ電源である場合に、前記発光量切替手段がランプ電源の回路構成を切替えて前記ランプへの印加電圧を切替える構成とする。
この発明によれば、発光量切替手段がランプ電源の印加電圧を切替えるのに、合成電圧を可変するなどしてランプ電源の回路構成を切替えることができるので、簡素に電圧を可変できる。また、例えば電池などの電圧値の限られた電源から構成しても、種々の印加電圧に切替えることができる。
【００１０】
請求項６に記載の発明では、請求項１〜５のいずれかに記載の内視鏡装置において、前記発光量切替手段が、術者が操作可能な切替スイッチを備える構成とする。
この発明によれば、切替スイッチを術者が操作できるので、観察像を目視しながら術者が必要とする発光量に切替えることができる。
【００１１】
請求項７に記載の発明では、請求項１〜６のいずれかに記載の内視鏡装置において、前記観察部が前記観察像を撮像する撮像手段と、該撮像手段の出力レベルを検出する出力レベル検出手段とを備え、該出力レベル検出手段により検出された出力レベルに応じて前記発光量切替手段が動作するようにした構成とする。
この発明によれば、出力レベル検出手段で検出された出力レベルに応じて光量切替手段が動作するので、観察対象に適する発光量に切替えられ、操作の手間を省くことができ、効率のよい操作、観察を行うことができる。
【発明の効果】
【００１２】
本発明の内視鏡装置によれば、複数設けられたランプおよびランプ電源のうち少なくとも一方を、発光量切替手段により選択的に切替えて照明手段の光量を可変するので、電力消費を低減できるとともに簡素な構成とすることができ、それにより照明光の光量を容易に可変できるという効果を奏する。
【発明を実施するための最良の形態】
【００１３】
以下では、本発明の実施の形態を、添付図面を参照して説明する。すべての図面を通じて、実施形態が異なる場合であっても、同一または相当する部材には同一符号を付して、重複する説明を省略する。
【００１４】
［第１の実施形態］
本発明の第１の実施形態に係る内視鏡装置について説明する。
図１は、本発明の第１の実施形態に係る内視鏡装置について説明するための斜視説明図である。図２は、本発明の第１の実施形態に係る内視鏡装置を図１とは異なる方向から見た斜視説明図である。図３は、本発明の第１の実施形態に係る内視鏡装置の内部構造の概略を説明するための模式説明図である。図４は、本発明の第１の実施形態に係るランプ電源を含む電源のブロック図である。
本実施形態の内視鏡装置は、観察像の明るさに応じて照明光の光量を容易に可変できるようにしたもので、図１に示すように、内視鏡１と、被写体を照らす照明光を発する光源装置２（照明手段）と、内視鏡１で得た被写体の像（観察像）を映像化して表示する映像表示装置３（表示装置）とを主要な構成要素として備えている。
【００１５】
内視鏡１は、先端を観察部位に挿入される挿入部１１と、挿入部１１の先端を湾曲操作するための操作部１２とを備えている。また、内視鏡１には、後述するイメージガイド１１ｂ（観察像取り込み部）によって導かれた像（光）を受光するＣＣＤ等の撮像素子４（撮像手段）と、撮像素子４の受光部に結像する集光レンズ４ａとが設けられている（図３参照）。
挿入部１１は、可撓性を有する細長い形状で、操作部１２の一端に接続されており、先端に位置する硬質な先端部１６と、先端部１６に連続して設けられた湾曲部１７と、湾曲部１７に連続して設けられて操作部１２に接続された可撓部１８とを備えている。
図３に示すように、先端部１６には、照明光に照らされた被写体からの反射光による像を結像する対物レンズ１９と、照明光を出射する照明窓１６ａとが設けられている。湾曲部１７および可撓部１８には、光源装置２から先端部１６に照明光を導くライトガイド１１ａと、対物レンズ１９に結像された像を撮像素子４に導くイメージガイド１１ｂとが内蔵されている。
なお、撮像素子４は、図３に示すように映像表示装置３に近い位置に設けられる場合と、先端部１６に設けられる場合とがある。
【００１６】
操作部１２は、図１に示すように、術者が内視鏡１を把持するための把持部１０と、挿入部１１に通された２本のワイヤ１１ｃを介して湾曲部１７を所望の方向に湾曲させるための湾曲操作レバー２０とを備えている。
操作部１２の内部には、図３に示すように、挿入部１１から連続してイメージガイド１１ｂ、ライトガイド１１ａが延長されている。
【００１７】
操作部１２の一端側では、把持部１０が挿入部１１の基端部１１Ａに接続されており、湾曲操作レバー２０に隣接する他端側（図１の上側）には、後述する映像表示装置３を取り付けるための表示装置取付部１２Ｂが設けられている。
【００１８】
把持部１０は、親指とその他の指とで包み込むように握ることができる形に形成されている。把持部１０には、体液等の液体を吸引するための吸引口金１３と、鉗子等の処置具を挿入するための鉗子挿入口１４と、内視鏡１の水漏れ検査時に内視鏡１内部に空気を送るための通気口金１５とが設けられている。吸引口金１３には、図示しないチューブを介して吸引装置が接続されるようになっており、吸引装置を作動させることにより吸引口金１３（図２参照）を通じて体液等を吸引することができるようになっている。通気口金１５には、図示しないチューブを介して給気装置が接続されるようになっており、給気装置を作動させることにより通気口金１５から内視鏡１に空気を送り込み、内視鏡１内部の水漏れ検査を行うことができるようになっている。
また、操作部１２には、映像表示装置３に表示されている映像を後述する画像記録装置３２（図３参照）に記録させる画像記録スイッチ３２ｂ（図２参照）が設けられている。
【００１９】
湾曲操作レバー２０は、把持部１０を握った手５３の親指で操作できるように把持部１０に隣接して設けられている。湾曲操作レバー２０は、把持部１０を掴んだ親指の腹で操作される先端部２０ａと、先端部２０ａの一端に繋がる基端部２０ｂとからなるＬ字形で、基端部２０ｂが操作部１２に対して軸１２ａを中心にして揺動可能に支持されている。湾曲操作レバー２０は、先端部２０ａを親指で上下に押し引きすることでいずれか一方のワイヤ１１ｃに張力を、他方のワイヤ１１ｃに推力を作用させて湾曲部１７を自在に湾曲させることができるようになっている。
【００２０】
光源装置２は、図３に示すように、光源ランプ２１（ランプ）と、術者が任意に光源ランプ２１を点灯／滅灯させるための手許スイッチ２２と、光源ランプ２１が発した照明光を集光する集光レンズ２３とを備えている。また、光源装置２には、後述する給電ケーブル６を着脱可能に接続されるコネクタ２ａが設けられている。光源ランプ２１、手許スイッチ２２およびコネクタ２ａは、光源装置２に内蔵された給電ライン２ｂによって直列に接続されている。
光源ランプ２１が発した照明光は、集光レンズ２３によって集光され、ライトガイド１１ａに導かれて照明窓１６ａから照明光１６Ａとして出射され、体腔内の被写体を照明するようになっている。
【００２１】
映像表示装置３は、略直方体状とされ、表示装置取付部１２Ｂに着脱可能に設けられ、少なくとも観察時には表示装置取付部１２Ｂに装着される。映像表示装置３には、被写体の観察像を映像化して表示させるＬＣＤ等の表示素子３１が表示画面を外側に露出するように設けられている。
【００２２】
映像表示装置３の内部には、図３に示すように、被写体の像を記録する画像記録装置３２と、撮像素子４で撮像された被写体の像を信号化して出力する撮像素子制御回路３３と、撮像素子制御回路３３から出力された信号を映像化して表示素子３１に表示させる表示素子制御回路３４とが設けられている。また光源装置２、撮像素子４、映像表示装置３の各部に電力を供給するバッテリ５が交換可能に内蔵されている。
【００２３】
バッテリ５の詳細構成は、図４に示すように、光源ランプ２１を点灯するための第１照明電源部１０３ａ（ランプ電源）、第２照明電源部１０３ｂ（ランプ電源）と、内視鏡装置のその他の回路等に給電ライン１００ａを通して電力を供給する回路駆動電源部１０２と、スイッチング手段１０４とからなる。第１照明電源部１０３ａ、第２照明電源部１０３ｂは、光源装置２とともに照明手段の一部をなしている。
スイッチング手段１０４は、給電ライン２１ａ、通信ラインＳ２１が接続されており、給電ライン２１ａに、通信ラインＳ２１からの信号に基づいて、第１照明電源部１０３ａまたは第２照明電源部１０３ｂの電圧を選択して、光源ランプ２１を点灯するための電圧ＶＬを印加できるようになっている。
第１照明電源部１０３ａ、第２照明電源部１０３ｂ、回路駆動電源部１０２は、それぞれ電圧値Ｖ１、Ｖ２（ただし、Ｖ２＞Ｖ１）、電圧値Ｖｃを有する定電圧電源である。具体的には、繰り返し充電して使用することができる二次電池などを採用することができる。
電圧値Ｖ１、Ｖ２と電圧値Ｖｃとは特に決まった大小関係はなく、Ｖ１またはＶ２がＶｃと等しくてもよい。
例えば、電圧値として、Ｖ１＝３．７（Ｖ）、Ｖ２＝５（Ｖ）、Ｖｃ＝５（Ｖ）のような電圧値を採用することができる。
【００２４】
映像表示装置３の外側には、起動スイッチ３５、コネクタ５０および映像表示装置３を回動可能に支持するためのブラケット３ａが設けられている。
起動スイッチ３５は、内視鏡装置を起動させるためのスイッチである。
コネクタ５０は、後述する給電ケーブル６、集合ケーブル７を映像表示装置３に接続するためのものである。
【００２５】
映像表示装置３と光源装置２とは、図３に示すように、給電ライン２１ａを内包する給電ケーブル６を介して接続されている。映像表示装置３と内視鏡１とは、撮像素子４に接続する給電ライン４ｂおよび信号ラインＳ１を内包する集合ケーブル７を介して接続されている。給電ケーブル６および集合ケーブル７は、先端にそれぞれコネクタ６ａ，７ａが設けられている。コネクタ６ａは光源装置２のコネクタ２ａに着脱可能に接続され、コネクタ７ａは内視鏡１のコネクタ１ａに着脱可能に接続される。
【００２６】
次に、本実施形態の内視鏡装置の内部のより詳細な構成について説明する。
図５は、本発明の第１の実施形態に係る内視鏡装置の機能ブロック図である。
映像表示装置３には、上記に説明した構成の他に、出力レベル検出回路４１（出力レベル検出手段）、起動検出部４２、給電制御回路４３、照明電圧切替手段１０１（発光量切替手段）、電力供給スイッチング手段１００、および電力供給スイッチ４５が設けられている。
【００２７】
出力レベル検出回路４１は、撮像素子４から映像表示装置３に伝送される映像信号（撮像素子４において信号化された像）の出力レベルを検出するとともにそれを用いて入力の有無を検出し、それぞれを検出信号として出力する回路である。
出力レベルは、撮像素子制御回路３３から信号ラインＳ２を通して表示素子制御回路３４に送られる映像信号から観察像の輝度レベルを判断できるものであれば、適宜のレベル信号を採用することができる。例えば、撮像素子４の映像信号を平均する平均輝度レベルや、映像信号のピーク値を検出するピーク輝度レベルなどを採用できる。また、これらを必要に応じて併用してもよい。
この検出信号は、後述する信号ライン２１を通じて伝送される。
入力の有無を検出する検出信号は、例えば、それら出力レベルが所定値以上であるときに映像信号が入力されていると判定してローとなり、所定値より小さいときハイとなる２値信号とすることができる。
この検出信号は、後述する信号ラインＳ４を通じて伝送される。
【００２８】
起動検出部４２は、出力レベル検出回路４１と、起動スイッチ３５のＯＮ／ＯＦＦの状態を検出するものである。そして、給電ライン１００ａから分岐された給電ライン４２ａによりバッテリ５と接続され、バッテリ５から電力供給が受けられるようになっている。
【００２９】
給電制御回路４３は、出力レベル検出回路４１、起動検出部４２の検出結果に基づいて光源装置２、撮像素子４、表示素子３１および画像記録装置３２に対する電力供給を断ったり、起動スイッチ３５の操作を無効にしたりする制御回路である。そして、給電ライン１００ａから分岐された給電ライン４３ａによりバッテリ５と接続され、バッテリ５から電力供給が受けられるようになっている。
【００３０】
照明電圧切替手段１０１は、出力レベル検出回路４１の出力レベルに応じて、バッテリ５における複数のランプ電源を切替えて給電ライン２１ａに接続するための手段である。例えば、所定閾値に対する出力レベルを判断して、スイッチング手段１０４を作動させる制御信号を発生させ、信号ラインＳ２１に出力するようにする。
【００３１】
電力供給スイッチング手段１００は、給電制御回路４３の制御信号に応じて、撮像素子４、撮像素子制御回路３３、照明電圧切替手段１０１、画像記録装置３２、出力レベル検出回路４１、表示素子制御回路３４、および表示素子３１とバッテリ５との間で電力供給経路の断続を制御するための多出力を有するスイッチング手段である。
電力供給スイッチ４５は、給電制御回路４３の制御信号に応じて、光源装置２とバッテリ５との間の電力供給経路の断続を制御するために給電ライン２１ａ上に設けられたスイッチである。
【００３２】
上記に説明していない電力供給経路について図５を参照して説明する。
バッテリ５と、電力供給スイッチング手段１００との間には、バッテリ５から電力供給スイッチング手段１００に電力を供給するための給電ライン１００ａが設けられている。
電力供給スイッチング手段１００と、撮像素子４、撮像素子制御回路３３、照明電圧切替手段１０１、画像記録装置３２、出力レベル検出回路４１、表示素子制御回路３４、および表示素子３１との間には、電力供給スイッチング手段１００から、それぞれに対して電力を供給するための給電ライン４ｂ、３３ａ、１０１ａ、３２ａ、４１ａ、３４ａ、３１ａが設けられている。
【００３３】
各機能ブロック間の信号ラインによる接続について図５を参照して説明する。
撮像素子４と撮像素子制御回路３３との間には、撮像素子４で取得された映像信号を撮像素子制御回路３３に伝送する信号ラインＳ１が設けられている。
撮像素子制御回路３３と表示素子制御回路３４との間には、撮像素子制御回路３３に入力された映像信号を表示素子制御回路３４に伝送する信号ラインＳ２が、途中に出力レベル検出回路４１を介して設けられている。
表示素子制御回路３４と表示素子３１との間には、表示素子制御回路３４に入力された映像信号を表示素子３１に入力する信号ラインＳ３が設けられている。
【００３４】
給電制御回路４３と出力レベル検出回路４１との間には、出力レベル検出回路４１が出力した映像信号の入力の有無を示す信号を給電制御回路４３に伝送する信号ラインＳ４が設けられている。
給電制御回路４３と起動検出部４２との間には、起動検出部４２が出力した検出信号を給電制御回路４３に伝送する信号ラインＳ５が設けられている。
給電制御回路４３と電力供給スイッチング手段１００との間には、信号ラインＳ５、Ｓ４を通じて出力レベル検出回路４１、起動検出部４２から伝送される検出信号に応じて、撮像素子４、撮像素子制御回路３３、照明電圧切替手段１０１、画像記録装置３２、出力レベル検出回路４１、表示素子制御回路３４、および表示素子３１への電力供給を断続するために給電制御回路４３が出力した信号を電力供給スイッチング手段１００に伝送する信号ラインＳ６が設けられている。
給電制御回路４３と電力供給スイッチ４５との間には、光源ランプ２１への電力供給を断続するために給電制御回路４３が出力した信号を電力供給スイッチ４５に伝送する信号ラインＳ７が設けられている。
【００３５】
起動スイッチ３５と起動検出部４２との間には、起動スイッチ３５のＯＮ／ＯＦＦの状態を示す信号を伝送する信号ラインＳ１０が設けられている。
撮像素子制御回路３３と画像記録装置３２との間には、映像信号を画像記録装置３２に伝送する信号ラインＳ１１が設けられている。
給電制御回路４３と起動スイッチ３５との間には、内視鏡装置を起動または停止させるための信号を伝送する信号ラインＳ１２が設けられている。
【００３６】
次に本実施形態の内視鏡装置の動作について、照明光の光量制御を中心に説明する。
術者が起動スイッチ３５を操作して内視鏡装置が起動すると、起動検出部４２の検出信号が給電制御回路４３に送られる。
給電制御回路４３は、まず、電力供給スイッチング手段１００、電力供給スイッチ４５を閉じて、撮像素子４、撮像素子制御回路３３、照明電圧切替手段１０１、画像記録装置３２、出力レベル検出回路４１、表示素子制御回路３４、表示素子３１、および光源ランプ２１のそれぞれに対する電力供給経路（給電ライン４ｂ、３３ａ、１０１ａ、３２ａ，４１ａ）を確保する。
この初期化状態では、スイッチング手段１０４は、第１照明電源部１０３ａ側にスイッチを閉じ、給電ライン２１ａに電圧Ｖ１が印加される。これにより、初期化状態では低光量の照明光となる。
【００３７】
図３に示すように、術者が手許スイッチ２２を閉じると、光源ランプ２１が点灯され、電圧値Ｖ１に対応する発光量の光が放射される。その光は、集光レンズ２３で集光されてライトガイド１１ａの端面に入射され、照明窓１６ａから照明光として照射される。
この照明光により被写体が照明されると、反射光が対物レンズ１９で集光され、イメージガイド１１ｂの端面に観察像として結像される。この観察像は、イメージガイド１１ｂにより他端側に伝送される。その出射光は集光レンズ４ａにより集光され、撮像素子４上に結像され、その像が撮像素子４により光電変換され、映像信号として、信号ラインＳ１上に送出される。
【００３８】
撮像素子４の映像信号は、信号ラインＳ１を通して撮像素子制御回路３３に伝送され適宜増幅、波形整形などされ、信号ラインＳ１１、Ｓ２を通して、それぞれ画像記録装置３２、出力レベル検出回路４１に伝送される。
出力レベル検出回路４１は、映像信号の入力の有無を示す検出信号を信号ラインＳ４により給電制御回路４３に伝送する。
映像信号が入力されていないと判定された場合、電力供給スイッチング手段１００を開放して、省電力モードとしたり、光源ランプ２１の点灯状況を調べて故障の有無や結線不良などを判断し結果に応じて適宜警告表示などを点灯したりする。
正常に映像信号が入力されていると判定された場合は、電力供給を継続する。
【００３９】
また、出力レベル検出回路４１は、映像信号の輝度レベルを判定するための検出信号を生成し、信号ラインＳ２０を通して、照明電圧切替手段１０１に伝送する。例えば、ピーク輝度レベルＩｐと平均輝度レベルＩａとを算出して、それぞれの情報を含むレベル信号を伝送する。
【００４０】
照明電圧切替手段１０１は、信号ライン２１を介して、出力レベル検出回路４１からのレベル信号を受信すると、その輝度レベルを判定して、光源ランプ２１に印加する電圧を、Ｖ１およびＶ２のうちから選択し、スイッチング手段１０４に制御信号を送出する。
図６に、本実施形態の電圧切替制御の一例を説明するためのグラフを示した。図６の横軸はレベル信号の表す撮像素子４の輝度レベルＩを表し、縦軸は、選択されるランプ電源の電圧値ＶＬを表す。制御曲線２００は、閾値Ｉｔｈを境に、２つの線分２００ａ、線分２００ｂとからなる。
線分２００ａは、０＜Ｉ≦Ｉｔｈの範囲で、ＶＬ＝Ｖ２となる線分であり、線分２００ｂは、Ｉｔｈ≦Ｉ＜Ｉｍａｘの範囲で、ＶＬ＝Ｖ１となる線分である。ここで、Ｉｍａｘは、撮像素子４の飽和輝度レベルである。
【００４１】
このような制御により、撮像素子４の輝度レベルがＩｔｈ以下のとき、光源ランプ２１に印加される電圧値がＶ１より高いＶ２とされ、光源ランプ２１の発光量が増大する。それにより、映像信号の輝度レベルが向上し、鮮明な観察像が得られる。
一方、例えば、被写体の観察部位が変化して反射率が増すなどして、輝度レベルが増大して閾値Ｉｔｈ以上となると、光源ランプ２１に印加される電圧値がＶ１とされ、映像信号の輝度レベルを低減し、画像がかぶったりするのを防止できる。
閾値Ｉｔｈは、上記のピーク輝度レベルＩｐおよび平均輝度レベルＩａのいずれかに対して設定してもよいし、それらを適宜演算した輝度レベルに対して設定してもよい。
【００４２】
このように本実施形態の内視鏡装置によれば、出力レベル検出回路４１により映像信号の輝度レベルを自動的に判定してランプ光源の発光量を可変することができる。そのため、術者は、被写体の反射率などの変化に追従して照明光の光量を調整しなくて済むので、挿入部１１の動きの操作や表示素子３１の観察に専念できる。また、照明光の過不足による観察像の変化を抑えることができるので、安定した観察を効率よく行うことができる。
また、発光量を切替えるのに、照明電圧切替手段１０１からの信号により、複数の定電圧電源である第１照明電源部１０３ａと第２照明電源部１０３ｂとをスイッチング手段１０４で切替えるようにしたので、複雑な制御手段を要することなく簡単に可変でき、装置や回路を簡素化できる。特にこれらのランプ電源に二次電池などの電池を用いるので、携帯型の内視鏡装置に好適となる。
また、発光量を低減する際、低光量で発光させるときは、高光量で発光させるランプ電源を開放して、電力消費がない状態とするので、無駄な電力消費や光量損失を起こすことがなく、省エネルギーとなる。したがって、ランプ電源に電池を用いた場合にも長寿命とすることができ、経済的で、携帯にも好都合な装置となる。
【００４３】
次に本実施形態において採用できるランプ電源を含んだ電源の他例であるバッテリ５Ｂ、５Ｄについて説明する。
図７は、バッテリ５Ｂのブロック図である。
図７に示したバッテリ５Ｂは、バッテリ５の第１照明電源部１０３ａ、第２照明電源部１０３ｂに代えて、電源部１０５に接続されて電源部１０５の出力電圧Ｖｃをそれぞれ一定電圧Ｖ１、Ｖ２に変換する第１変圧手段１０６ａ、第２変圧手段１０６ｂを設けたものである。これらは、電源部１０５と組み合わせることにより安定化電源を形成し、複数のランプ電源を実現する。
第１変圧手段１０６ａ、第２変圧手段１０６ｂは、例えば、ＤＣ−ＤＣコンバータや直流変圧器などを採用することができる。これらは別体で構成される必要はなく、複数の出力を有するならば、１基板上に形成されてもよく、１チップで形成されていてもよい。
電圧値の例としては、Ｖ１＝３（Ｖ）、Ｖ２＝３．７（Ｖ）、Ｖｃ＝５（Ｖ）などの値が採用できる。
【００４４】
図８は、バッテリ５Ｄのブロック図である。
図８に示したバッテリ５Ｂは、上記の内視鏡装置で、電圧値Ｖ２を、Ｖ２＝Ｖｃとすることができる場合に、バッテリ５の第２照明電源部１０３ｂを削除し、電源部１０５の１つの出力をスイッチング手段１０４に接続し、ＶＬを、Ｖ１とＶｃとの間で切替えることができるようにしたものである。すなわち、電源部１０５にランプ電源を兼用させた構成となるので、バッテリ５Ｄを簡素な構成とすることができる。
また、同様に、上記の内視鏡装置で、電圧値Ｖ１を、Ｖ１＝Ｖｃとすることができる場合には、図８において、第１照明電源部１０３ａに代えて第２照明電源部１０３ｂを採用することができる。
【００４５】
［第２の実施形態］
本発明の第２の実施形態に係る内視鏡装置について説明する。
図９は、本発明の第２の実施形態に係る内視鏡装置の機能ブロック図である。図１０は、本発明の第２の実施形態に係るランプ電源を含む電源のブロック図である。
本実施形態の内視鏡装置は、第１の実施形態の内視鏡装置において、バッテリ５に代えてバッテリ５Ａを、電力供給スイッチ４５に代えて電力供給スイッチ４５Ａを、手許スイッチ２２に代えて手許切替手段２２Ａ（切替スイッチ）をそれぞれ設けたものである。その際、給電ケーブル６は、給電ライン２１ａに加えて給電ライン２１ｂを備えるようにしている。このような構成により、複数のランプ電源を切替えて発光量を切替える場合、撮像素子４の輝度レベルの変化に応じた自動切替と、術者の判断で切替えるマニュアル切替とが選択できるようになっている。
以下、第１の実施形態と異なる点を中心に説明する。
【００４６】
バッテリ５Ａは、図１０に示したように、バッテリ５におけるスイッチング手段１０４に代えてスイッチング手段１０７を設けたものである。
スイッチング手段１０７は、第１照明電源部１０３ａ、第２照明電源部１０３ｂを、それぞれ給電ライン２１ａ、２１ｂに対して断続可能に接続するスイッチであり、信号ライン２１の制御信号に応じて、それぞれのうち少なくとも一方を接続できるようになっている。
【００４７】
電力供給スイッチ４５Ａは、このような複数の電力供給経路を同時に開閉できるスイッチである。
手許切替手段２２Ａは、例えば、ダイヤル方式、トグル方式などにより、術者が操作できるようにした多段の切替スイッチで、具体的には、例えば「切」、「自動切替」、「明るさ１」、「明るさ２」など、給電ライン２１ａ、２１ｂの断続制御と照明電圧切替手段１０１への制御信号を生成する切替ポジションが形成されている。そして、給電ケーブル６内に設けられる信号ラインＳ２３と接続されている。信号ラインＳ２３は、照明電圧切替手段１０１と接続され、手許切替手段２２Ａからの照明電圧切替手段１０１への制御信号を伝送することができるようになっている。
【００４８】
本実施形態では、このような構成により、以下のようにして発光量を切替える。
手許切替手段２２Ａの切替ポジションのうち、「切」が選択された場合、給電ライン２１ａ、２１ｂを同時に開放することにより、光源ランプ２１への電力供給経路を開放して強制的に消灯する。
また「自動切替」が選択された場合、給電ライン２１ａ、２１ｂを同時に閉じることにより、光源ランプ２１への電力供給経路を確保する。一方、信号ラインＳ２３には、自動切替モードであることを照明電圧切替手段１０１に通知する制御信号を伝送する。それにより、照明電圧切替手段１０１は、第１の実施形態と同様に、出力レベル検出回路４１のレベル信号に応じて、第１照明電源部１０３ａ、第２照明電源部１０３ｂのいずれか一方に選択的に切替える。
【００４９】
また、「明るさ１」が選択された場合には、給電ライン２１ａを閉じることにより、光源ランプ２１への電力供給経路を確保する。一方、信号ラインＳ２３には、マニュアル切替モードであることを照明電圧切替手段１０１に通知する制御信号を伝送する。照明電圧切替手段１０１は、この制御信号を受けると、出力レベル検出回路４１のレベル信号によらず第１照明電源部１０３ａと第２照明電源部１０３ｂとを両方選択する。
したがって、手許切替手段２２Ａにおいて、第２照明電源部１０３ｂ側の電力供給経路が開放されているので、第２照明電源部１０３ｂによる電力消費を行うことなく、第１照明電源部１０３ａによる照明が行われる。
また、「明るさ２」が選択された場合には、照明電圧切替手段１０１に伝送される制御信号は、「明るさ１」の場合と同様である。一方、「明るさ１」の場合とは逆に、手許切替手段２２Ａにより、給電ライン２１ｂが閉じられるとともに、給電ライン２１ａが開放され、第２照明電源部１０３ｂが選択される
【００５０】
このように本実施形態によれば、複数のランプ電源を切替えて発光量を切替える際、撮像素子４の輝度レベルの変化に応じた自動切替と、術者の判断で切替えるマニュアル切替とが選択できるようになっている。このため、術者は、実際の表示画面を見ながら、自動切替で選択された発光量が不適切であれば、必要に応じて他の発光量を選択することができる。
【００５１】
なお、本実施形態のバッテリ５Ａに代えて、図１１に示すようなバッテリ５Ｃを採用してもよい。
バッテリ５Ｃは、バッテリ５Ａの第１照明電源部１０３ａ、第２照明電源部１０３ｂに代えて、第１変圧手段１０６ａ、第２変圧手段１０６ｂを設けたものである。この構成によっても、バッテリ５Ａの場合と同様な動作を実現できる。
【００５２】
［第３の実施形態］
本発明の第３の実施形態に係る内視鏡装置について説明する。
図１２は、本発明の第３の実施形態に係る内視鏡装置の内部構造の概略を説明するための模式説明図である。図１３は、本発明の第３の実施形態に係る内視鏡装置の機能ブロック図である。
本実施形態の内視鏡装置は、図１２に示すように、第１の実施形態の内視鏡装置のバッテリ５に代えてバッテリ５Ａを、電力供給スイッチ４５に代えて電力供給スイッチ４５Ａを、手許スイッチ２２に代えて手許スイッチ２２Ｂをそれぞれ設け、光源ランプ２１に代えて光源ランプ２１Ａ、２１Ｂ（ランプ）を設けている。ただし、給電ケーブル６は、給電ライン２１ａに加えて給電ライン２１ｂを備え、集光レンズ２３に代えて集光レンズ２３Ａ、２３Ｂが設けられ、集光レンズ２３Ａ、２３Ｂのそれぞれの集光位置にライトガイド１１ａ、１１ａが設けられている。そして、複数のランプを切替えて発光量を切替えることができるようにしたものである。
以下、第１の実施形態と異なる点を中心に説明する。
【００５３】
図１３に示すように、給電ケーブル６に設けられた給電ライン２１ａ、２１ｂは、光源装置２内で、手許スイッチ２２Ｂを介して、それぞれ光源ランプ２１Ａ、２１Ｂに接続されている。
光源ランプ２１Ａは、給電ライン２１ａを通じて印加される電圧値Ｖ１により相対的に低光量で発光するランプである。
光源ランプ２１Ｂは、給電ライン２１ｂを通じて印加される電圧値Ｖ２により相対的に高光量で発光するランプである。
手許スイッチ２２Ｂは、手許スイッチ２２と同様に術者が照明の点灯と消灯とを操作可能とするスイッチで、給電ライン２１ａ、２１ｂを同時に開閉することができるものである。
【００５４】
このような構成によれば、照明電圧切替手段１０１によって、出力レベル検出回路４１のレベル信号に応じて第１照明電源部１０３ａ、第２照明電源部１０３ｂのいずれかを選択し、給電ライン２１ａまたは２１ｂの電力供給経路を通じて光源ランプ２１Ａまたは２１Ｂを点灯させる電圧が印加される。その結果、手許スイッチ２２Ｂが閉じられている場合、光源ランプ２１Ａ、２１Ｂのいずれかが点灯され、照明光の発光量が切替えられる。
そして、光源ランプ２１Ａまたは２１Ｂから射出された光は、集光レンズ２３Ａまたは２３Ｂにより、それぞれライトガイド１１ａ、１１ａに入射し、照明窓１６ａ、１６ｂから被写体に向けて照射される。
【００５５】
一般に、ランプは、定格をはずれた電圧を印加すると光量は変化するものの、定格電圧を印加した場合と比べて、光への変換効率が悪くなるものである。本実施形態によれば、ランプごとにランプに応じた電圧のランプ電源が設けられ、ランプ電源を切替えることにより発光させるランプを切替えるので、ランプの定格に応じて電力消費効率が最適となる電圧を印加できるから、全体として電力消費効率を向上させることができるという利点がある。
なお、本実施形態のバッテリ５Ａに代えて、バッテリ５Ｃを採用してもよい。
【００５６】
［第４の実施形態］
本発明の第４の実施形態に係る内視鏡装置について説明する。
図１４は、本発明の第４の実施形態に係る内視鏡装置の内部構造の概略を説明するための模式説明図である。図１５は、本発明の第４の実施形態に係る内視鏡装置の機能ブロック図である。
本実施形態の内視鏡装置は、図１４に示すように、第１の実施形態の内視鏡装置のバッテリ５に代えて、バッテリ５Ｅを設け、光源ランプ２１に代えて、光源ランプ２１Ｃ、２１Ｄを設け、手許スイッチ２２に代えて手許選択手段１０９を設け、光源装置２内にランプ切替手段１０８（発光量切替手段）を設け、図１５に示すように、照明電圧切替手段１０１に代えてランプ選択手段１１０（発光量切替手段）を設けている。そして、複数のランプを切替えて発光量を切替えることができるようにしたものである。
以下、第１の実施形態と異なる点を中心に説明する。
【００５７】
バッテリ５Ｅは、単一の電源部１０５（ランプ電源）からなり、給電ライン２１ａ、１００ａにそれぞれ電圧Ｖｃを印加するランプ電源とその他の電源を兼ねたものである。
光源ランプ２１Ｃ、２１Ｄは、それぞれ電圧Ｖｃにより異なる発光量Ｌ１、Ｌ２（ただしＬ１＜Ｌ２）で発光するランプ光源である。
【００５８】
ランプ切替手段１０８は、制御信号に応じて、光源ランプ２１Ｃ、２１Ｄから射出される光をライトガイド１１ａに選択的に入射可能とする手段である。
例えば、図１４に示すように、適宜のモータに接続され適宜回動角ごとに回動移動が可能とされた移動機構が採用できる。光源ランプ２１Ｃ、２１Ｄは、この回動可能な移動機構に取付けられている。そして、制御信号に応じて選択された方のランプ光源が、集光レンズ２３で集光可能な位置まで移動されるようになっている。
【００５９】
ただし、移動機構は、回動移動できるものとは限らず、例えば、リニアモータやアクチュエータなどの直線移動機構により、図１４において図示上下方向に平行移動させて光源ランプ２１Ｃ、２１Ｄの移動を行うようにしてもよい。
また、光源ランプ２１Ｃ、２１Ｄから射出される光を、例えばミラー、プリズム、ビームスプリッタなどの適宜の光学素子を用いて、選択的に集光レンズ２３に入射させる光学系を採用することもできる。この場合、選択的な切替は、可動ミラー、可動プリズムなどの光偏向手段を移動させたり、回転させたりして、光路を選択的に切替える手段を採用できる。
【００６０】
ランプ切替手段１０８は、給電ケーブル６を介して、後述するランプ選択手段１１０との間で、双方向に制御信号を伝送するための信号ラインＳ２４が接続されている。
ランプ選択手段１１０は、出力レベル検出回路４１のレベル信号に応じて、第１の実施形態と同様に、レベル信号の表す輝度レベルを閾値Ｉｔｈと比較して、光源ランプ２１Ｃ、２１Ｄのいずれか一方を点灯させ、ライトガイド１１ａに入射できるように切替えるものである。
すなわち、０＜Ｉ≦Ｉｔｈの範囲では、発光量が相対的に大きいＬ２で発光する光源ランプ２１Ｄを選択し、Ｉｔｈ≦Ｉ＜Ｉｍａｘの範囲では、発光量が相対的に小さいＬ１で発光する光源ランプ２１Ｃを選択するものである。
【００６１】
手許選択手段１０９は、例えば、ダイヤル方式、トグル方式などにより、術者が操作できるようにした多段の切替スイッチで、具体的には、例えば「切」、「自動切替」、「明るさ１」、「明るさ２」など、ランプ切替手段１０８を後述するランプ選択手段１１０に代わって制御するための制御信号を生成する切替ポジションが形成されている。
【００６２】
手許選択手段１０９の切替ポジションのうち、「切」が選択された場合、給電ライン２１ａを開放することにより強制的に消灯する。
また「自動切替」が選択された場合、信号ライン２４を通して、自動切替モードであることをランプ選択手段１１０に通知する制御信号を伝送する。それにより、ランプ選択手段１１０はランプ光源を選択する制御信号を、信号ラインＳ２４によってランプ切替手段１０８に伝送し、上記の切替えが行われるようにする。
【００６３】
また、「明るさ１」が選択された場合には、手許選択手段１０９は、ランプ切替手段１０８に対して、光源ランプ２１Ｃを選択する制御信号を伝送する。また、信号ラインＳ２４を通して、マニュアル切替モードであることをランプ選択手段１１０に通知する制御信号を伝送する。それにより、ランプ選択手段１１０は、ランプ切替手段１０８に対する制御信号の伝送を停止する。
そして、手許選択手段１０９がランプ切替手段１０８に伝送する制御信号が有効化され、光源ランプ２１Ｃが選択される。
また、「明るさ２」は、同様にマニュアル切替モードが通知され、光源ランプ２１Ｄが選択される。
【００６４】
このように本実施形態によれば、複数のランプを切替えて発光量を切替える際、撮像素子４の輝度レベルの変化に応じた自動切替と、術者の判断で切替えるマニュアル切替とが選択できるようになっている。このため、術者は、実際の表示画面を見ながら、自動切替で選択された発光量が不適切であれば、必要に応じて他の発光量を選択することができる。
本実施形態では、ランプを交換することで、容易に発光量を可変することができるという利点がある。
【００６５】
なお、上記の説明は、好ましい実施形態の例であって、本発明の技術的思想の範囲で、異なる実施形態の構成を適宜自由に組み合わせて実施してもよい。その場合、上記に説明したそれぞれの作用効果を備える装置とすることができる。
例えば、第１の実施形態の内視鏡装置において、第２の実施形態の内視鏡装置における手許切替手段２２Ａと同様な手段を設けて、光源装置２の側から術者の操作によって、スイッチング手段１０４の制御を行うように構成してもよい。
また例えば、第３の実施形態の内視鏡装置の複数のランプにそれぞれライトガイド１１ａが設けられた構成と、第４の実施形態の内視鏡装置におけるランプ選択手段１１０などにより、複数のランプを切替える構成とを組み合わせて、ランプ切替手段１０８を、複数のランプへの印加電圧を選択的に切替えるスイッチング手段などにより構成してもよい。
【００６６】
また、上記の説明において、ランプ電源、ランプの数がそれぞれ２以下である例で説明したが、いずれも２以下に限られるものではない。必要ならいくら多くてもよい。
例えば、ランプとして、小型の発光体であるＬＥＤなどの光デバイスを用いれば、比較的多数のランプを設けることができ、多段階に発光量を切替えることができて好都合である。このような多数のランプは、挿入部１１の先端部１６に設けてもよいし、ライトガイド１１ａの入射側に設けてもよい。
【００６７】
また、上記の説明では、ランプを切替える際に、ランプが１つずつ点灯する例で説明したが、変形例として、複数のランプを適宜組み合わせて同時に点灯できるようにしてもよい。このようにすれば、ランプの数に比してより多段階の発光量を得ることができ、１つ当たりの駆動電圧が低くても相対的に大きな発光量を実現できるという利点がある。
図１６（ａ）は、このような変形例について説明するための挿入部１１の先端部を示す斜視説明図である。図１６（ｂ）は、被写体の照明光の分布を説明するための模式説明図である。
【００６８】
本変形例は、第３の実施形態の内視鏡装置において、光源ランプ２１Ａ、２１Ｂの他に、同様に発光可能な４つの光源ランプを設け、それぞれに応じて集光レンズ２３Ａと同様な集光レンズを設け、それらの集光位置にそれぞれに応じてライトガイド１１ａを設け、先端部１６の先端面の周方向に略等間隔を開けて照明窓１６ａ、１６ｂ、１６ｃ、１６ｄ、１６ｅ、１６ｆ（以下照明窓１６ａ〜ｆと略記する）を設ける。図１６（ｂ）には、これら照明窓１６ａ〜ｆから、射出された照明光の拡がりを照明光１６Ａ、１６Ｂ、１６Ｃ、１６Ｄ、１６Ｄ、１６Ｅ、１６Ｆ（以下、照明光１６Ａ〜Ｆと略記する）として示した。
上記６つの光源ランプは、同一発光量を備えていてもよいし、異なる発光量を有していてもよい。また、それを駆動するランプ電源は、第３の実施形態と同様に複数としてもよいし、第４の実施形態と同様に単数としてもよい。
それぞれに対応して、本変形例のランプ電源、ランプの数に対応した照明電圧切替手段１０１またはランプ選択手段１１０を設けて、結果的に点灯するランプが切替られるようにする。その際、複数のランプが同時に点灯可能とする。
【００６９】
図１６（ｂ）に示すように、被写体上の照明光１６Ａ〜Ｆは、被写体に焦点を合わせた時に、少なくとも対物レンズ１９の光軸を中心とした観察範囲１２０を含む範囲に照射されるようにする。
ここで、照明光１６Ａ〜Ｆの光量をＬＡ、ＬＢ、…ＬＦとすれば、照明光１６Ａ〜Ｆが全点灯された場合の観察範囲１２０の光量Ｌｔは、Ｌｔ＝ＬＡ＋ＬＢ＋…＋ＬＦであり、このうち、適宜の照明光を消灯して、照明光の組合せを変えることにより、Ｌｔは多段階に可変される。
【００７０】
また、上記の説明において、複数のランプ電源は、電圧値にそれぞれ１つのランプ電源が対応する例で説明したが、複数のランプ電源を組み合わせて回路を構成し、その回路構成を切替えることにより、複数の合成電圧出力を形成できるようにしてもよい。
このように構成すれば、例えば電池など個別の電圧値が限定される場合であっても、これらを並列、直列に組み合わせることにより、中間的な電圧出力を形成することができる。すなわち、電圧値を可変するために、回路上に抵抗を設けて電圧降下させなくてもよいので、熱損が低減でき、省エネルギーの電源となるという利点がある。
【００７１】
また、上記の説明では、電圧変換手段である第１変圧手段１０６ａ、第２変圧手段１０６ｂがＤＣ−ＤＣコンバータや直流変圧器である例で説明した。このようにすれば、抵抗による電圧降下を用いないので、熱損が低減でき、省エネルギーとすることができる。
ただし、例えば熱損低減や省エネルギーの必要性が少ないなどの場合には、電圧変換手段として電気抵抗を用いてもよい。その場合、電圧降下量が異なるように抵抗値の異なる電気抵抗を設けて切り替えられるようにする。そうすれば、ランプ電源の回路構成が簡素となるという利点がある。
【００７２】
また、上記の説明では、特に好適な例として、携帯型の内視鏡装置の例で説明したが、本発明の適用範囲はこれに限定されるものではない。
【図面の簡単な説明】
【００７３】
【図１】本発明の第１の実施形態に係る内視鏡装置について説明するための斜視説明図である。
【図２】本発明の第１の実施形態に係る内視鏡装置を図１とは異なる方向から見た斜視説明図である。
【図３】本発明の第１の実施形態に係る内視鏡装置の内部構造の概略を説明するための模式説明図である。
【図４】本発明の第１の実施形態に係るランプ電源を含む電源のブロック図である。
【図５】本発明の第１の実施形態に係る内視鏡装置の機能ブロック図である。
【図６】本発明の第１の実施形態の電圧切替制御の一例について説明するためのグラフである。
【図７】本発明の第１の実施形態に用いることができる他の電源のブロック図である。
【図８】本発明の第１の実施形態に用いることができるさらに他の電源のブロック図である。
【図９】本発明の第２の実施形態に係る内視鏡装置の機能ブロック図である。
【図１０】本発明の第２の実施形態に係るランプ電源を含む電源のブロック図である。
【図１１】本発明の第２の実施形態に用いることができる他の電源のブロック図である。
【図１２】本発明の第３の実施形態に係る内視鏡装置の内部構造の概略を説明するための模式説明図である。
【図１３】本発明の第３の実施形態に係る内視鏡装置の機能ブロック図である。
【図１４】本発明の第４の実施形態に係る内視鏡装置の内部構造の概略を説明するための模式説明図である。
【図１５】本発明の第４の実施形態に係る内視鏡装置の機能ブロック図である。
【図１６】本発明の実施形態の変形例について説明するための挿入部の先端部を示す斜視説明図および被写体の照明光の分布を説明するための模式説明図である。
【符号の説明】
【００７４】
１  内視鏡
２  光源装置
３  映像表示装置（観察部）
４  撮像素子（撮像手段）
５、５Ａ、５Ｂ、５Ｃ、５Ｄ  バッテリ
１０  把持部
１１  挿入部
１１ａ  ライトガイド１１
１１Ａ  基端部
１１ｂ  イメージガイド（観察像取り込み部）
１６  先端部
１６ａ、１６ｂ、１６ｃ、１６ｄ、１６ｅ、１６ｆ  照明窓
１６Ａ、１６Ｂ、１６Ｃ、１６Ｄ、１６Ｅ、１６Ｆ  照明光
１９  対物レンズ
２１、２１Ａ、２１Ｂ、２１Ｃ、２１Ｄ  光源ランプ（ランプ）
２１ａ、２１ｂ  給電ライン（電力供給経路）
２２Ａ  手許切替手段（切替スイッチ）
２３、２３Ａ、２３Ｂ  集光レンズ
４１  出力レベル検出回路（出力レベル検出手段）
１０１  照明電圧切替手段（発光量切替手段）
１０２  回路駆動電源部
１０３ａ  第１照明電源部（ランプ電源）
１０３ｂ  第２照明電源部（ランプ電源）
１０４、１０７  スイッチング手段
１０５  電源部（ランプ電源）
１０６ａ  第１変圧手段（ランプ電源）
１０６ｂ  第２変圧手段（ランプ電源）
１０８  ランプ切替手段（発光量切替手段）
１０９  手許選択手段（切替スイッチ）
１１０  ランプ選択手段（発光量切替手段）
【図１】
2005237430.tif 000003
【図２】
2005237430.tif 000004
【図３】
2005237430.tif 000005
【図４】
2005237430.tif 000006
【図５】
2005237430.tif 000007
【図６】
2005237430.tif 000008
【図７】
2005237430.tif 000009
【図８】
2005237430.tif 000010
【図９】
2005237430.tif 000011
【図１０】
2005237430.tif 000012
【図１１】
2005237430.tif 000013
【図１２】
2005237430.tif 000014
【図１３】
2005237430.tif 000015
【図１４】
2005237430.tif 000016
【図１５】
2005237430.tif 000017
【図１６】
2005237430.tif 000018